(57)【要約】【課題】測定部位に対するカフ脱着の操作性が非常に良く、また、同一測定者であれば、最初の血圧測定時に、カフの測定部位に対してカフを巻き付けて筒状にするだけで、次回以降は、このカフの筒状のままで、測定部位に容易に脱着できる血圧計用カフを提供すること。【解決手段】阻血用空気袋４が内布２と外布３との間に内蔵され、空気袋４の外側に弾性を有する湾曲板６が配置されたカフ１の外側にハンドル８を設け、そのハンドル８のグリップ部８ｃと平行なグリップ可動部１９を戻しばね２４を利用してグリップ部８ｃに対してスライド調整する締め付け調整スイッチ１５を設け、この締め付け調整スイッチ１５によって筒状のカフ１の内径を測定部位に対して抜き差し可能な大きい内径Ｄ１と、血圧測定可能な小さい内径Ｄ２とに変更調整することができる血圧計用カフ。【選択図】        図６
2004201741.tif 000002
【特許請求の範囲】
【請求項１】
空気袋が内蔵され、測定部位に筒状に装着される血圧計用カフにおいて、カフを筒状に巻き付けて固定する巻き付け固定手段とカフを把持するための把持手段を備え、前記把持手段が前記カフの前記測定部位に対する締め付け調整を行う締め付け調整手段を有することを特徴とする血圧計用カフ。
【請求項２】
前記締め付け調整手段は、前記カフの可動端の引っ張りとその引っ張りの解除を行うことを特徴とする請求項１に記載の血圧計用カフ。
【請求項３】
前記空気袋の外側に弾性を有する湾曲板を備えたことを特徴とする請求項１または請求項２に記載の血圧計用カフ。
【請求項４】
前記空気袋の内側を覆う内布を有し、該内布の少なくとも測定部位と接触する部分が伸縮性及び低摩擦性を有することを特徴とする請求項１ないし請求項３のいずれかに記載の血圧計用カフ。
【請求項５】
前記空気袋に接続されたチューブが前記ハンドルの装着部を通して外部に導出されていることを特徴とする請求項１ないし請求項４に記載の血圧計用カフ。
【請求項６】
空気袋が内蔵され、測定部位に筒状に装着される血圧計用カフにおいて、カフを筒状に巻き付けて固定するファスナーと前記筒状の長さ方向に伸びるカフを把持するためのハンドルを備え、前記ハンドルが前記カフの前記測定部位に対する締め付け調整を行う締め付け調整スイッチを有することを特徴とする血圧計用カフ。
【発明の詳細な説明】
【０００１】
【発明の属する技術分野】
本発明は、測定者の上腕等の測定部位に装着して血圧を測定する血圧計用カフの技術分野に属するものである。
【０００２】
【従来の技術】
従来の血圧計に取り付けられるハンドル（把持グリップ）としては、計器本体とカフ（加減圧部材）の一体型の血圧計で、計器本体に、カフの筒状空間の上腕への挿入方向と平行に把持グリップを備えることで、上腕への装着操作が容易となるものがある。（例えば、特許文献１参照。）
また、従来の筒状に形成されたカフとしては、阻血袋（空気袋）を設けた内周側巻き付け帯とこの内周側巻き付け帯の外側に外周側巻き付け帯を備えるカフで、内周側巻き付け帯を伸縮自在の筒状に形成することにより、測定部位に密着して巻き付けることで、阻血圧力の低下を防ぎ、巻き付け力に再現性を持たせているものがある。（例えば、特許文献２参照。）
【特許文献１】実用新案登録第２５６０４７５号公報
【特許文献２】特開平１０−３３４８９号公報
【発明が解決しようとする課題】
しかしながら、特許文献１に記載の血圧計では、ハンドル（把持グリップ）を計器本体に設けることで、カフの上腕（測定部位）への抜き差しは容易となるが、カフの筒状の内径は抜き差しで上腕より太い肘のあたりを通過させる必要から大きいままで上腕にはゆるく装着される。このため、カフの装着を十分にする（センサーなどの安定した位置合わせを容易にする）ためには、装着の度に、カフを上腕に装着して後、カフの筒状の大きさをカフの係合部と計器本体の近くに設けられた解除レバーの係止片とで調整する必要があるが、この操作は煩雑である。
【０００３】
また、特許文献２に記載の血圧計用カフでは、内周側巻き付け帯を伸縮自在の筒状に形成することにより、測定に際して、内周側巻き付け帯については巻き付けは不要にすることはできるが、依然として、外周側巻き付け帯については測定の度に、巻き付けが必要である。このため、血圧測定後に、外周側巻き付け帯を巻き付けたままで測定部位から抜き取ったり、測定に際して、外周側巻き付け帯を巻き付けたままで測定部位に装着することはできない。
【０００４】
従って、特許文献１、２のいずれに記載の血圧計用カフも、カフの着脱の操作が煩雑である。
【０００５】
本発明は、上記の問題を解決するためになされたものであって、同一の測定者であれば、最初の血圧測定時にカフを巻き付けるだけで、次回以降は、カフの巻き付けや巻き付け調整を必要とせずに、容易に安定して、上腕などの測定部位に装着できる血圧計用カフを提供することを目的としている。また、カフの巻き付け状態による測定のばらつきをなくし、血圧管理を適切に行うことができる血圧計用カフを提供することを目的とする。更に、筒状にされたカフについては、測定部位への抜き差し操作と測定部位での適切な着脱操作を連続動作で行うことができる操作性のよい血圧計用カフを提供することを目的としている。
【０００６】
【課題を解決するための手段】
上記の目的を達成するための本発明の血圧計用カフは、下記［１］〜［６］の通りである。
【０００７】
［１］  空気袋が内蔵され、測定部位に筒状に装着される血圧計用カフにおいて、カフを筒状に巻き付けて固定する巻き付け固定手段とカフを把持するための把持手段を備え、前記把持手段が前記カフの前記測定部位に対する締め付け調整を行う締め付け調整手段を行う締め付け調整手段を有することを特徴とする血圧計用カフ。
【０００８】
［２］  前記締め付け調整手段は、前記カフの可動端の引っ張りとその引っ張りの解除を行うことを特徴とする上記［１］に記載の血圧計用カフ。
【０００９】
［３］  前記空気袋の外側に弾性を有する湾曲板を備えたことを特徴とする上記［１］または上記［２］に記載の血圧計用カフ。
【００１０】
［４］  前記空気袋の内側を覆う内布を有し、該内布の少なくとも測定部位と接触する部分が伸縮性及び低摩擦性を有することを特徴とする上記［１］ないし上記［３］のいずれかに記載の血圧計用カフ。
【００１１】
［５］  前記空気袋に接続されたチューブが前記ハンドルの装着部を通して外部に導出されていることを特徴とする上記［１］ないし上記［４］に記載の血圧計用カフ。
【００１２】
［６］  空気袋が内蔵され、測定部位に筒状に装着される血圧計用カフにおいて、カフを筒状に巻き付けて固定するファスナーと前記筒状の長さ方向に伸びるカフを把持するためのハンドルを備え、前記ハンドルが前記カフの前記測定部位に対する締め付け調整を行う締め付け調整スイッチを有することを特徴とする血圧計用カフ。
【００１３】
【発明の実施の形態】
以下、本発明の実施の形態を測定部位として上腕に適用した場合の血圧計用カフの実施例を図を参照して、以下の順序で説明する。
（１）・・・  血圧計用カフの第１の実施例の説明（図１〜図８）
（２）・・・  血圧計用カフの第２の実施例の説明（図９〜図１２）
（３）・・・  血圧計用カフの第３の実施例の説明（図１３〜図１７）
（１）・・・  血圧計用カフの第１の実施例の説明
初めに、図１〜図８によって、血圧計用カフの第１の実施例について説明する。
【００１４】
図１は、本実施例のカフの斜視図である。図２は、図１のカフのカフ長手方向の中央での断面をカフの後端側（圧力検出用空気袋５のある側）に向かってみた図である。図３は、図２の収納時の形態を示した図ある。図４は、図２のＡ−Ａ矢視図の拡大断面図であり、Ａ−Ａ矢視ではみえない圧力検出用空気袋５とチューブ１２、１３のカフ筒状の長手方向での位置が１点鎖線で示されている。図５は、図１をチューブ挿通穴の方向（ハンドル８の真上方向）からみた平面図である。図６は、カフの内径を締め付け調整スイッチによって調整する様子を示す断面図である。図７（Ａ）（Ｂ）は、カフのスライド調整機構を説明する図である。図８は、図１のカフを測定部位に脱着する様子を説明する図である。
【００１５】
この血圧計用カフ１は、内布（内面布）２と外布（外面布）３との間に大型（長尺）の阻血用空気袋４が配置されていて、圧力検出部である小型の圧力検出用空気袋５が阻血用空気袋４の内側（カフ装着時に測定部位側）表面に配置されている。なお、圧力検出用空気袋５は阻血用空気袋４の長手方向のほぼ中央部内側に両面粘着剤または溶着等にて接合されている。この際、測定部位（上腕部）と接触する内布２はスパンデックス等の伸縮性を有し、かつ、低摩擦性を有する素材で構成されていて、外布３はツイル生地等の非伸縮性を有する素材で構成されている。
【００１６】
そして、合成樹脂板等でほぼＣ型に湾曲されて、径方向（矢印ｘ方向）に弾性変形可能な湾曲板（バッキング）６の内側に沿って内布２が袋状に固着されていて、この内布２内の阻血用空気袋４及び圧力検出用空気袋５が湾曲板６の内面に沿って円弧状に配置されている。なお、これら内布２、阻血用空気袋４及び湾曲板６の巻き付け角はほぼ２７０°に構成されている。
【００１７】
そして、湾曲板６の外周部分の一部の外側に把持手段であるハンドル８が溶着や接着等にて装着されている。このハンドル８は合成樹脂等にて成形されていて、ハンドル装着部である円弧状の装着ベース部８ａが湾曲板６の外側に円弧状の隙間９を隔てて配置されている。そして、この装着ベース部８ａの両側に平行状に一体成形等された一対のアーム部８ｂの先端部間にグリップ部８ｃが一体成形されていて、このグリップ部８ｃは血圧計用カフ１の長手方向（円周方向）に対する直角方向（後述する血圧計用カフ１の測定部位に対する抜き差し方向）、すなわちカフの筒状の長手方向に設定されている。
【００１８】
そして、ハンドル８の装着ベース部８ａのほぼ中央部にて、この装着ベース部８ａ及び湾曲板６を内外に貫通するチューブ挿通穴１１が形成されていて、阻血用空気袋４及び圧力検出用空気袋５にそれぞれ接続された給排気用チューブ１２及び圧力検出用チューブ１３がそのチューブ挿通穴１１を通してハンドル８の一対のアーム部８ｂ間から外部へ引き出されている。
【００１９】
そして、ハンドル８にカフの測定部位に対する締め付け調整を行う締め付け調整手段である締め付け調整スイッチ１５が取り付けられている。
【００２０】
この際、まず、外布３の脱着端３ａの内周と、湾曲板６の外周で、ハンドル８から最も遠い位置の外周部分とに面ファスナーループ１６ａと面ファスナーフック１６ｂとからなる面ファスナー（ファスナーの一例）１６が縫合や接着等にて装着されていて、この外布３の脱着端３ａは湾曲板６の外周で、円周方向の任意の位置に面ファスナー１６によって脱着可能に構成されている。
【００２１】
そして、外布３の脱着端３ａとは反対側の端部である可動端３ｂに縫合や接着等にて結合された軟質合成樹脂等からなる外布締め付け部材１７がハンドル８の装着ベース部８ａと湾曲板６との間の隙間９内に円弧状に配置されている。
【００２２】
そして、合成樹脂等にて成形されて、ハンドル８のグリップ部８ｃ内に外布３の締め付けを調整するグリップ可動部１９が矢印ａ、ｂ方向にスライド自在に装着されて、これらグリップ部８ｃとグリップ可動部１９が平行状に配置されている。そして、このグリップ可動部１９の両端に外布締め付け部材１７の先端（外布３側とは反対側の端部）１７ａの幅方向の両側が一対のワイヤー２０等の連結部材を介して連結されている。
【００２３】
即ち、ハンドル８のグリップ部８ｃの剪断面形状がほぼコ字状に形成されていて、そのグリップ部８ｃの中空部１８内にグリップ可動部１９がそのグリップ部８ｃの内側から矢印ａ、ｂ方向に摺動自在に挿入されている。そして、外布締め付け部材１７の先端に結合されている一対のワイヤー２０等がハンドル８の一対のアーム部８ｂ内の中空部２１を通してグリップ可動部１９の長さ方向の両端部１９ａに連結されている。この際、一対のワイヤー２０等は一対のアーム部８ｂ内に一体成形等された一対のガイドピン２２部分でほぼへの字状にガイドされるように構成されている。
【００２４】
そして、グリップ可動部１９の剪断面形状がグリップ部８ａと対称状のほぼコ字状に形成されていて、これらグリップ可動部１９内の中空部２３内とグリップ部８ｃ内の中空部１８内に跨がる状態に圧縮コイルばね等からなる戻しばね２４が収容されている。つまり、この戻しばね２４によってグリップ可動部１９が外布３の締め付けを解除する方向である矢印ａ方向にスライド付勢されていて、グリップ部８ｃ内に一体成形等されたストッパー部２５にグリップ可動部１９外に一体成形等されたストッパー部２６が当接されることによって、このグリップ可動部１９の矢印ａ方向への移動量が規制されるように構成されている。
【００２５】
そして、グリップ部８ｃ内には、グリップ可動部１９による外布３の締め付け方向である矢印ｂ方向のスライド位置を調整するスライド調整機構２８が組み込まれている。
【００２６】
このスライド調整機構２８は、グリップ可動部１９の内面に一体成形等された矢印ａ、ｂ方向に伸びる直線状のラチェット爪部２９と、グリップ部８ｃ内に一体成形や溶着等にて形成された弾性を有するラチェットロックアーム３０とによって構成されている。
【００２７】
そして、ラチェット爪部２９からラチェットロックアーム３０の先端のロック爪３０ａを強制的に離脱するためのロック解除ボタン３１がグリップ部８ｃの外側に突出された状態に取り付けられている。このロック解除ボタン３１は、締め付け調整スイッチ１５と共に締め付け調整手段（締め付け調整スイッチ）を構成している。
【００２８】
この血圧計用カフ１は、以上のように構成されていて、次の要領で便利に使用することができる。
【００２９】
まず、図３は、血圧計用カフ１の収納時を示したものであり、内布２、外布３や阻血用空気袋４等をほぼＣ型の湾曲板６内に折り込むようにして、小型に収納することができる。
【００３０】
まず、最初の血圧測定に際しては、図２に示すように、グリップ可動部１９がグリップ８ｃから最も突出した状態で、かつ、面ファスナー１６部分を開いた状態、すなわち、面ファスナーループ１６ａを面ファスナーフック１６ｂから完全に剥離させた状態で、一方の手Ｈ１でハンドル８のグリップ部８ｃを握り、他方の手Ｈ２の上腕部の測定部位Ｍの外側へこの血圧計用カフ１を緩やかに載せる。
【００３１】
この後、締め付け調整スイッチ１５を構成しているハンドル８のグリップ部８ｃとグリップ可動部１９とを手指で挟み付けるように握って、グリップ可動部１９をグリップ部８ｃの内側へ戻しばね２４に抗して矢印ｂ方向へ最大限押し込んで離す。
【００３２】
グリップ可動部１９がグリップ部８ｃ内に矢印ｂ方向に押し込まれる場合、スライド調整機構２８のラチェット爪部２９がラチェットロックアーム３０を弾性に抗して矢印ｃ、ｄ方向に揺動させながら、ロック爪３０ａによって順次ロック・ロック解除がなされて行くため、着実な押し込みがなされる。（途中で、握りを解除しても戻しばね２４によって押し込み状態がもとに戻されることはない。）こうして、グリップ可動部１９がグリップ部８ｃの内側へ最大限押し込まれて離されると、最終的には、戻しばね２４の矢印ａ方向への付勢により、グリップ可動部１９がグリップ部８ｃに最も押し込められ固定された状態、すなわち、ラチェットロックアーム３０のロック爪３０ａがグリップ可動部１９の最も端部から離れたラチェット爪部２９と係合する図７の（Ｂ）の状態で、安定して固定される。
【００３３】
そして、このとき、グリップ可動部１９によって一対のワイヤー２０等を介して外布締め付け部材１７が矢印ｂ方向に引っ張られて、外布３の可動端３ｂが最大限引っ張られた状態で安定して固定されている。この状態では、カフの巻き付けの部分が最も短い状態となる。
【００３４】
次に、ハンドル等の位置を目安に、血圧計用カフ１の圧力検出用空気袋５を上腕部の動脈に位置合わせした状態で、上腕部（測定部位）に沿ってカフを巻き、図６の実線で示すように、外布３の脱着端３ａの面ファスナーループ１６ａを湾曲板６の面ファスナーフック１６ｂに係合するようにして面ファスナー１６を閉じて、カフを筒状にする。この操作によって、血圧計用カフ１は上腕部（測定部位）Ｍの太さである内径Ｄ２の筒状で、かつ、適度に締め付けられた状態で装着される。このとき、圧力検出用空気袋５は上腕部の動脈に適度な圧力で当て付けられている。
【００３５】
本実施例では、以上のように血圧計用カフ１を上腕部に装着して後、血圧計本体からの自動ポンプ（図示せず）にて給排気用チューブ１２を通して阻血用空気袋４内に圧縮空気を給気して上腕部を圧迫して阻血し、阻血用空気袋４内の圧縮空気を給排気用チューブ１２を通して排気する過程で圧力検出用空気袋５によって動脈の圧力信号を正確に検出して、検出される圧力脈波に基づき血圧を測定する。すなわち、いわゆるオシロメトリック方式による血圧測定を行う。
【００３６】
そして、この血圧測定後に、阻血用空気袋４内の空気を排気し、図７の（Ｂ）に１点鎖線で示すように、締め付け調整手段（締め付け調整スイッチ）であるロック解除ボタン３１を矢印ｅ方向に押して、そのロック解除ボタン３１によって、ラチェットロックアーム３０をラチェット爪部２９から弾性に抗して矢印ｃ方向にロック解除すると、グリップ可動部１９が戻しばね２４によってグリップ部８ｃ内から矢印ａ方向に押し出され、グリップ可動部１９のストッパー部２６がグリップ部８ｃ内のストッパー部に当接した状態で止まる。その後、ロック解除ボタン３１を離すと、ボタンに内蔵されるばね（図示せず）によって、ロック解除ボタン３１は矢印ｆ方向に付勢されもとの状態に戻り、ラチェットロックアーム３０のロック爪３０ａがグリップ可動部１９の最も端部のラチェット爪部２９と係合する図７の（Ａ）の状態で、安定して固定される。このとき、グリップ可動部１９がグリップ部８ｃより最も突出した状態で安定して固定されている。この状態では、カフの巻き付け部分が最も長い状態となる。このとき一対のワイヤー２０及び外布締め付け部材１７による外布３の可動端３ｂの矢印ｂ方向の引っ張り力が解除されて、図６に示すように、この血圧計用カフ１全体の内径が湾曲板６の弾性復元力によって血圧測定可能な内径Ｄ２から内径Ｄ１へ自動的に拡大される。
【００３７】
なお、内径Ｄ１は測定部位（上腕部）の末梢側の最大部位（肘のあたり）の太さを通過できる内径（抜き差し可能な径）になるように設定されている。すなわち、グリップ可動部１９のグリップ部８ｃからの突出距離の変化長（ラチェット爪部２９の長さ）は、少なくとも上腕部と肘のあたりの太さの外周差よりも大きくなるように、設定されている。
【００３８】
尚、発明者は、多くの人について、上腕部（測定部位）の周囲長Ｌ２と上腕部の末梢側の最大部位（肘のあたり）の周囲長Ｌ１を測定して検討した。その結果、周囲長Ｌ２が周囲長Ｌ１よりも大きい人もいるが、特に、腕全体が比較的細い人については、末梢側の最大部位（肘のあたり）の周囲長Ｌ１が上腕部の周囲長Ｌ２より大きくなることを見出した。しかし、そのように、末梢側の最大部位の周囲長Ｌ１が上腕部（測定部位）の周囲長Ｌ２より大きい場合においても、通常、１５ｍｍ以上になることは稀であることを見出した。
【００３９】
このため、本実施例での、グリップ可動部１９ａのグリップ部８ｃからの突出長は、Ｌ１がＬ２より大きい場合におけるＬ１−Ｌ２の最大値以上、具体的には略１５ｍｍ以上となっている。従って、内径（直径）の差Ｄ１−Ｄ２に関しては、略（１５／π）ｍｍ（πは円周率）であり、４〜６ｍｍ程度（略５ｍｍ程度）以上となっている。
【００４０】
従って、本実施例では、初回の血圧測定後、図８に示すように、一方の手Ｈ１でハンドル８のグリップ部８ｃを握って、この血圧計用カフ１を巻き付けを外すことなく筒状のままで内径をＤ１に拡大して、他方の手Ｈ２の上腕部（測定部位）Ｍから容易に抜き取ることができるものである。
【００４１】
また、測定者が同一での次回以降の血圧測定に際しても、抜き取った筒状のカフの内径Ｄ１は、抜き差し可能な径であることから、図８に示すように、初回の血圧測定後に抜き取った筒状のカフ１について、ハンドル８を一方の手Ｈ１で握って、他方の手Ｈ２の腕に通すだけで、容易に、カフ１を手Ｈ２の上腕（測定部位）の位置まで持っていくことができる。
【００４２】
そして、その状態で、締め付け調整スイッチ１５を構成しているハンドル８のグリップ部８ｃとグリップ可動部１９とを手指で挟み付けるように握って、グリップ可動部１９をグリップ部８ｃの内側へ戻しばね２４に抗して矢印ｂ方向へ最大限押し込んで離すことで、ラチェットロックアーム３０のロック爪３０ａがグリップ可動部１９の最も端部から離れたラチェット爪部２９と係合する図７の（Ｂ）の状態で、安定して固定される。このときのカフ１の内径は、最初の血圧測定で適切な内径Ｄ２になるように面ファスナー１６を閉じていることから、血圧測定に適切なカフの内径になっている。
【００４３】
即ち、ハンドル８をグリップ部８ｃとグリップ可動部１９とを手指で挟み付けるように握って離すだけで、カフを巻き付けることなく、容易に適切にカフを測定部位（上腕部）に装着できる。
【００４４】
その際、特に、内布２がスパンデックス等の伸縮性を有し、かつ、低摩擦性を有する素材で構成されているので、この筒状の血圧計用カフ１を他方の手Ｈ２の上腕部（測定部位）Ｍに対してスムーズに抜き差しすることができる。
【００４５】
また、前述したように、給排気用チューブ１２及び圧力検出用チューブ１３をハンドル８の装着部である装着ベース部８ａのほぼ中央部に形成したチューブ挿入穴１１から外部へ導出させているので、この血圧計用カフ１を筒状のまま他方の手Ｈ２の上腕部（測定部位）Ｍに対して抜き差しする際に、これら給排気用チューブ１２及び圧力検出用チューブ１３が内布２の内側に巻き込まれたり、折れ曲ったりするようなことがなく、この血圧計用カフ１を他方の手Ｈ２の上腕部（測定部位）Ｍに対してスムーズに抜き差しすることができる。
【００４６】
以上説明したように、この血圧計用カフ１によれば、この血圧計用カフ１を上腕部（測定部位）Ｍに筒状に装着した状態で、この血圧計用カフ１を締め付け調整スイッチ１５とロック解除ボタン３１によって測定部位Ｍに対して締め付けたり、緩めたりすることができる。すなわち、カフ装着時には、筒状のままこの血圧計用カフ１を測定部位Ｍに挿入して、締め付け調整スイッチ１５によって締め付けて血圧測定を行うことができ、血圧測定後のカフ取り外し時には、ロック解除ボタン３１によって血圧計用カフ１の締め付けを解除（緩めること）して、血圧計用カフ１を筒状のまま測定部位Ｍから容易に抜き取ることができる。
【００４７】
従って、同一の測定者が繰り返し血圧測定を行う場合には、図６に実線で示したように、最初の血圧測定時に、筒状の血圧計用カフ１の内径Ｄ２を設定しておくだけで、次回以降の血圧測定時には、血圧計用カフ１の内径Ｄ２の調整を一切行わなくても、測定部位Ｍに対する血圧計用カフ１の抜き差し及び血圧測定を容易に行うことができる。
【００４８】
以上述べてきた第１の実施例の血圧計用カフの使用方法は、最初の血圧測定時に測定部位にてカフの面ファスナー１６を閉じてカフを筒状にし、次回以降に、カフを筒状のままで装着する方法だが、最初の血圧測定時より、予め、カフを筒状にして測定部位に装着する使用方法も可能である。
【００４９】
この場合は、まず、スライド調整機構のラチェットロックアーム３０のロック爪３０ａがグリップ可動部１９の最も端部のラチェット爪部２９と係合する図７の（Ａ）の状態で、測定部位（上腕）の末梢の最大部位（肘のあたり）が通る大きさの筒状のカフをファスナー１６を閉じてつくる。そして、ハンドル８を持って、この筒状のカフを測定部位（上腕）の位置まで通して後、ハンドル８のグリップ部８ｃとグリップ可動部１９を手指で挟み付けるように握って、筒状の径が、ほぼ装着部位の径Ｄ２となったときに、グリップ部８ｃとグリップ可動部１９を挟み付ける握りを開放（解除）する。これにより、ラチェットロックアーム３０のロック爪３０ａがグリップ可動部１９の最も適切な位置のラチェット爪部（通常、図７の（Ａ）と（Ｂ）の中間位置の爪部）と係合してロックされ、装着部位の径が固定され、適切なカフ装着ができる。カフを測定部位から外すときは、ロック解除ボタン３１を押すことで、スライド調整機構のラチェットロックアーム３０のロック爪３０ａがグリップ可動部１９の最も端部のラチェット爪部２９と係合する図７の（Ａ）の状態、すなわち、測定部位（上腕）の末梢の最大部位（肘のあたり）が通る大きさの筒状のカフをつくることができ、ハンドル８を持って、容易にカフを測定部位から抜き取ることができる。
【００５０】
このような使用方法においても、最初の血圧測定時にカフを筒状にするだけで、次回の測定以降は、カフの巻き付けや巻き外し（巻き付けを外す）をすることなく、筒状のままで、容易に、適切にカフを測定部位（上腕部）に着脱できる。
【００５１】
次に、図９〜図１２によって、血圧計用カフ１の第２の実施例について説明する。図９、１０、１１、１２は、それぞれ第１の実施例の図２、３、５、６に対応する図である。
【００５２】
この血圧計用カフ１は、図１〜図７で説明したハンドル８のグリップ部８ｃとグリップ可動部１９とを矢印ａ、ｂ方向において逆配置に構成して、これらグリップ部８ｃとグリップ可動部１９とをやはり平行状に配置することで、カフの測定部位に対する締め付け調整を行う締め付け調整手段（締め付け調整スイッチ１５）を構成している。そして、グリップ可動部１９をハンドル８のグリップ部８ｃに対して戻しばね２４によって矢印ｂ方向へスライド付勢させて、このグリップ可動部１９の両端部１９ａで一対のワイヤー２０等や外布締め付け部材１７を介して外布３を矢印ｂ方向へ引っ張るように構成したものである。第２の実施例では、グリップ可動部１９のスライド位置を調整するスライド調整機構およびスライド調整機構のロック解除ボタンは備えていないが、他の構成は基本的に前述した第１の実施例と同様となっている。
【００５３】
この血圧計用カフ１は以上のように構成されていて、最初の血圧測定に際しては、図９で示されるように、グリップ可動部１９がグリップ部８ｃから最も突出した状態、すなわち、カフの巻き付けの部分が最も短い状態で、かつ、面ファスナー部分を開いた状態で、上腕部（測定部位）に緩やかに載せる。
【００５４】
次に、ハンドル等の位置を目安に、血圧計用カフ１の圧力検出用空気袋５を上腕部の動脈に位置合わせした状態で、上腕部（測定部位）に沿ってカフを巻き、図１２の実線で示すように、外布３の脱着端３ａの面ファスナーループ１６ａを湾曲板６の面ファスナーフック１６ｂに係合するようにして面ファスナー１６を閉じて、カフを筒状にする。この操作によって、血圧計用カフ１は上腕部（測定部位）Ｍの太さである内径Ｄ２の筒状で、かつ、適度に締め付けられた状態で装着される。このとき、圧力検出用空気袋５は上腕部の動脈に適度な圧力で当て付けられている。
【００５５】
この後に、前述したような血圧測定を行うことになる。
【００５６】
そして、この血圧測定後に、グリップ部８ｃとグリップ可動部１９とを手指で挟み付けるように握る。すると、グリップ可動部１９が戻しばね２４に抗してグリップ部８ｃの内側へ矢印ａ方向に押し込められ、一対のワイヤー２０及び外布締め付け部材１７を介して外布３が矢印ａ方向に緩められて、締め付け調整スイッチ１５が締め付け解除状態となり、この筒状の血圧計用カフ１の内径が湾曲板６によって内径Ｄ１に拡大される。ここで、内径Ｄ１は、測定部位（上腕部）の末梢側の最大部位（肘のあたり）の太さを通過できる内径（抜き差し可能な径）になるように設定されている。すなわち、グリップ可動部１９のグリップ部８ｃからの突出距離の変化長は、少なくとも上腕部と肘のあたりの太さの外周差よりも大きくなるように、設定されている。
【００５７】
ここでも、第１の実施例と同様、内径（直径）の差Ｄ１−Ｄ２に関しては、略（１５／π）ｍｍ（πは円周率）であり、４〜６ｍｍ程度（略５ｍｍ程度）以上となっている。
【００５８】
従って、初回の血圧測定後、図８に示すように、グリップ部８ｃとグリップ可動部１９とを手指で挟み付けるようにハンドル８を握ったまま、この血圧計用カフ１の巻き付けを外すことなく筒状のままで内径をＤ１に拡大して、上腕部（測定部位）から、容易に、抜き取ることができる。なお、抜き取った筒状のカフの内径は、抜き取った後、グリップ部８ｃとグリップ可動部１９との挟み付ける握りを解除すると、戻りばね２４によって、内径Ｄ２となる。
【００５９】
測定者が同一での次回以降の血圧測定に際しては、グリップ部８ｃとグリップ可動部１９を挟み付けて握ることで、抜き取った筒状のカフの内径を抜き差し可能な内径Ｄ１にすることができることから、図８に示すように、初回の血圧測定後に抜き取った筒状のカフ１について、ハンドル８を一方の手Ｈ１で握って、他方の手Ｈ２の腕に通すだけで、容易に、カフ１を手Ｈ２の上腕（測定部位）の位置まで持っていくことがてきる。
【００６０】
そして、その状態で、ハンドル８のグリップ部８ｃとグリップ可動部１９を挟み付ける握りを開放（解除）すると、グリップ可動部１９がグリップ部８ｃ内の戻しばね２４の付勢によって矢印ｂ方向へ突出する。このとき、グリップ可動部１９の突出によってカフ１の内径は変化して小さくなるが、これは最初の血圧測定で適切な内径Ｄ２になるように面ファスナー１６を閉じていることから、血圧測定に適切なカフの内径Ｄ２になっている。
【００６１】
即ち、ハンドル８のグリップ部８ｃとグリップ可動部１９とを挟み付ける握りを開放（解除）するだけで、カフを巻き付けることなく、容易に、適切にカフを測定部位（上腕部）に装着できる。
【００６２】
尚、本実施例では、第１の実施例と異なり、ラチェット機構のロックとロック解除ボタンを備えておらず、血圧測定時の阻血用空気袋４の外方向への膨張の押さえは、戻りばね２４の充分な強さで対応している。しかしながら、第１の実施例と同じく、ラチェット機構によるロック（完全なロック）とロック解除ボタンのような構造を備えることで、更に、阻血用空気袋４の外方向への膨張の押さえを確実にすることができる。
【００６３】
次に、図１３〜図１７によって、血圧計用カフ１の第３の実施例について説明する。図１３、１４、１５、１６は、それぞれ第１の実施例の図２、３、５、６に対応する図である。また、図１７は、カフの内径を調整するための回転調整機構の断面図である。
【００６４】
この血圧計用カフ１は、ハンドル８におけるほぼコ字状に形成されている一対のアーム部８ｂとグリップ部８ｃを装着ベース部８ａから切り離している。つまり、一対のアーム部８ｂとグリップ部８ｃが合成樹脂等にて一体成形されていて、以下の説明から明らかなように、カフの測定部位に対する締め付け調整を行う締め付け調整手段（締め付け調整スイッチ１５）を構成している。そして、一対のアーム部８ｂの先端部間に回転軸３５をグリップ部８ｃと平行状に架設して固着するか、又は一体成形する。そして、この回転軸３５の両端部３５ａによって一対のアーム部８ｂとグリップ部８ｃを装着ベース部８ａの幅方向の両側に一体成形等された一対の支持部３６の内側に矢印ｇ、ｈ方向に回転自在に支持させている。この際、少なくとも一方の支持部３６の内側に一体成形された一対のストッパー部４３、４４間で、一対のアーム部８ｂとグリップ部８ｃが矢印ｇ、ｈ方向に回転されるように構成されている。そして、前述した一対のワイヤー２０を除去して、外布３の可動端３ｂに固着されている軟質合成樹脂等からなる外布締め付け部材１７の先端１７ａを回転軸３５の外周まで延長させて、その先端１７ａを回転軸３５の外周にほぼ１／３ほど巻き付けて接着やピン止め等にて固着している。なお、外布締め付け部材１７のほぼ中央部には給排気用チューブ１２及び圧力測定用チューブ１３に対する逃げ用の長穴１７ｂが形成されている。
【００６５】
そして、一方のアーム部８ｂと一方の支持部３６との間に回転調整機構３７が組み込まれている。
【００６６】
この回転調整機構３７はハンドル８のグリップ部８ｃを回転軸３５と一体に、かつ、その回転軸３５を中心に一対の支持部３６の内側で矢印ｇ、ｈ方向に一定ピッチで回転調整するための機構である。
【００６７】
そこで、例えば、一方の支持部３６に回転軸３５を中心とした円弧状板部３８を一体成形等し、この円弧状板部３８に回転軸３５を中心とした同一中心円に沿って複数のロック穴３９を一定ピッチで形成している。そして、一方のアーム部８ｂ内に一体成形等したボール保持部４０内に１個のボール４１を保持させ、このボール４１を圧縮コイルばね等の押圧ばね４２によって複数のロック穴３９に選択的に嵌合させるように構成したものである。なお、一対のストッパー部４３、４４は円弧状板部３８の内側に一体成形等されている。
【００６８】
この血圧計用カフ１は以上のように構成されていて、最初の血圧測定に際しては、図１３で示されるように、アーム部８ｂがストッパー部４３に接している状態、かつ、面ファスナー部分を開いた状態で、上腕部（測定部位）にゆるやかに載せる。このとき、回転調整機構３７のボール４１が位置Ｐ１のロック穴３９内に押圧ばね４２によって嵌合されており、グリップ部８ｃと一対のアーム部８ｂで構成されるハンドル８が位置Ｐ１でロックされている。
【００６９】
次に、ハンドル等の位置を目安に、血圧計用カフ１の圧力検出用空気袋５を上腕部の動脈に位置合わせした状態で、図１６の実線で示すように、ハンドル８（アーム部８ｂ）がストッパー部４３に接する状態まで矢印ｈ方向に回転して倒す。このとき、回転調整機構３７のボール４１が位置Ｐ３のロック穴３９内に押圧ばね４２によって嵌合され、グリップ部８ｃと一対のアーム部８ｂで構成されるハンドル８は位置Ｐ３でロックされている状態になる。なお、ハンドル８を回転して倒す場合、位置Ｐ１と位置Ｐ３の間（位置Ｐ２）で円弧状板部３８にロック穴３９が設けられ、回転調整機構３７のボール４１がこのロック穴３９と嵌合・嵌合解除がなされるため、ハンドル８の位置Ｐ３までの着実な回転がなされる。（途中、位置Ｐ１に戻されることがない。）ハンドル８が位置Ｐ３でロックされる状態は、回転軸３５が矢印ｈ方向に最大角度回転された状態となっているため、回転軸３５の外周に固着された先端１７ａの回転を介して外布締め付け部材１７が、矢印ｂ方向に最大限引っ張られ、外布３の可動端３ｂが最大限引っ張られた状態で安定して固定されている。すなわち、このとき、カフの巻き付けの部分が最も短い状態となる。この状態で、上腕部（測定部位）に沿ってカフを巻き、外布３の脱着端３ａの面ファスナーループ１６ａを湾曲板６の面ファスナーフック１６ｂに係合するようにして面ファスナー１６を閉じてカフを筒状にする。この操作によって、血圧計用カフ１は上腕部（測定部位）Ｍの太さである内径Ｄ２の筒状で、かつ、適度に締め付けられた状態で装着される。このとき、圧力検出用空気袋５は上腕部の動脈に適度な圧力で当て付けられている。
【００７０】
この後に、前述したような血圧測定を行うことになる。
【００７１】
そして、この血圧測定後に、図１６に破線で示すように、ハンドル８のグリップ部８ｃと一対のアーム部８ｂを回転軸３５と一体に、その回転軸３５を中心にストッパー部４３でアーム部８ｂが停止するまで、矢印ｇ方向に回転させ、回転調整機構３７のボール４１が位置Ｐ１のロック穴３９内に押圧ばね４２によって嵌合されてロックさせる。すなわち、ハンドル８を位置Ｐ１まで回転させ固定させる。この場合も、位置Ｐ２で円弧状板部３８にロック穴３９が設けられているため、ハンドル８の位置Ｐ１まで着実な回転がなされる。
【００７２】
このとき、回転軸３５が矢印ｇ方向に回転されたことによって、回転軸３５の外周に固着された先端１７ａの回転を介して、外布締め付け部材１７が矢印ａ方向に押し出されて、外布３が矢印ａ方向に緩められ、この筒状の血圧測定用カフ１の内径はＤ２より大きいＤ１となる。ここで、内径Ｄ１は、測定部位（上腕部）の末梢側の最大部位（肘あたり）の太さを通過できる内径（抜き差し可能な径）になるように設定されている。すなわち、グリップ部８ｃが位置Ｐ１から位置Ｐ３に移動することによる外布締め付け部材１７の押し出し長（回転軸３５に固着された先端１７ａの外周変化長）は、少なくとも上腕部と肘あたりの太さの外周差よりも大きくなるように、設定されている。
【００７３】
ここでも、第１の実施例と同様、内径（直径）の差Ｄ１−Ｄ２に関しては、略（１５／π）ｍｍ（πは円周率）であり、４〜６ｍｍ程度（略５ｍｍ程度）以上となっている。
【００７４】
従って、初回の血圧測定後、図８に示す第１の実施例のように、グリップ部８ｃを立てて、ハンドル８を握ったまま、この血圧計用カフ１を巻き外すことなく筒状のままで、内径をＤ１に拡大して、上腕部（測定部位）から、容易に、抜き取ることができる。
【００７５】
測定者が同一で次回以降の血圧測定に際しては、グリップ部８ｃを立てたままで（すなわち、位置Ｐ１に設定したままで）、抜き取った筒状のカフの内径は抜き差し可能な内径Ｄ１になっていることから、図８に示す第１の実施例のように、初回の血圧測定後に抜き取った筒状のカフ１について、ハンドル８を一方の手Ｈ１で握って、他方の手Ｈ２の腕に通すだけで、容易に、カフ１を手Ｈ２の上腕（測定部位）の位置まで持っていくことができる。
【００７６】
そして、その状態で、ハンドル８のグリップ部８ｃを位置Ｐ３にロックするように倒すと、外布締め付け部材１７は引っ張られてカフ１の内径は変化して小さくなるが、これは最初の血圧測定で適切な内径Ｄ２になるように面ファスナー１６を閉じていることから、血圧測定に適切なカフの内径Ｄ２になっている。
【００７７】
すなわち、ハンドル８を倒すだけで、カフを巻き付けることなく、容易に、適切にカフを測定部位（上腕部）に装着できる。
【００７８】
尚、本実施例では、第１の実施例と異なり、ラチェット機構によるロックとロック解除ボタンを備えておらず、血圧測定時の阻血用空気袋４の外方向への膨張の押さえは、ロック穴３９に嵌合するボール４１への押圧ばね４２の充分な強さで対応している。しかしながら、第１の実施例と同じく、ラチェット機構によるロック（完全なロック）とロック解除ボタンのような構造を備えることで、更に、阻血用空気袋４の外方向への膨張の押さえを確実にすることができる。
【００７９】
以上、本発明の３つの実施例について説明したが、本発明は上記した実施例に限定されることなく、本発明の技術的思想に基づいて各種の変更が可能である。
【００８０】
例えば、前述した本発明の実施例では、圧力検出用空気袋５によって圧力信号を検出して、検出される圧力脈波に基づいて血圧を測定するオシロメトリック方式での血圧測定用カフを示したが、本発明は、オシロメトリック方式での血圧測定用のカフに限定されるものではなく、圧力検出用空気袋５の位置に、空気袋の代わりにマイクロフォンを設置することで、血流音に基づいて血圧を測定するコロトコフ方式での血圧測定用のカフについても用いることができる。また、圧力検出用空気袋５を用いないで、阻血用空気袋４から圧力信号を検出して、検出される圧力脈波に基づいて血圧を測定するオシロメトリック方式での血圧測定用カフにも適用することができるものである。
【００８１】
更に、ハンドル８に電源スイッチ等を設けて、連続動作で測定することができるように構成することも可能である。
【００８２】
なお、実施例では、測定部位は上腕であったが、測定部位は限定されるものではなく、例えば手首であってもよい。
【００８３】
【発明の効果】
以上のように構成された本発明の血圧計用カフは、次のような効果を奏することができる。
【００８４】
本発明の血圧計用カフは、空気袋が内蔵され、測定部位に筒状に装着される血圧計用カフにおいて、カフを筒状に巻き付けて固定する巻き付け固定手段（ファスナー）とカフを把持するための把持手段（ハンドル）を備え、前記把持手段が前記カフの前記測定部位に対する締め付け調整を行う締め付け調整手段（締め付け調整スイッチ）を有するように構成したので、同一測定者では、一旦上腕等の測定部位に適切に巻き付けて筒状にしたカフは、次回以降は、カフの巻き付け巻き外しの必要はなく、締め付け調整手段（締め付け調整スイッチ）を操作するだけで、容易に安定して、測定部位に着脱できる。また、同一の測定者に対しては、常に、カフの同じ巻き付け状態で血圧測定を行うことができることから、巻き付け状態（特に、巻き付けの強弱）による測定のばらつきをなくすることができ、一定期間にわたる血圧の変動傾向をみる血圧管理を適切に行うことができる。更に、筒状にされたカフについては、測定部位への抜き差し操作と測定部位での適切な着脱操作を連続動作で行うことができる。従って、本発明の血圧計用カフは、カフの測定部位への着脱の操作性が著しく向上する。
【００８５】
また、締め付け調整スイッチがカフの可動端の引っ張りとその引っ張りの解除によって、筒状のカフを測定部位に対して締め付け及び締め付け解除を行うように構成されているので、測定部位に対するカフの締め付け及び締め付け解除を簡単な構成で、容易に行える。
【００８６】
また、空気袋の外側に弾性を有する湾曲板を備えたので、カフを測定部位に筒状に巻き付けて固定する操作を片手操作で簡単に行え、測定部位に対する筒状のカフの着脱（抜き差し）も楽に行える。
【００８７】
また、空気袋の内側の内布の少なくとも測定部位と接触する部分を伸縮性及び低摩擦性を有するように構成したので、筒状のカフを測定部位に対して着脱（抜き差し）する際に、その内布がすべり易く、その筒状のカフの着脱をより一層容易に行える。
【００８８】
更に、空気袋に接続されたチューブをハンドルを通して外部へ導出させたので、筒状のカフを測定部位に対して抜き差しする際に、そのチューブがカフの内側へ巻き込まれたり、折り曲ったりすることがなく、測定部位に対する筒状のカフの抜き差しを安全、かつ、スムーズに行える上に、血圧測定時の給排気や圧力測定を安定良く行える。
【図面の簡単な説明】
【図１】本発明の血圧計用カフの第１の実施例を説明する斜視図である。
【図２】図１の血圧計用カフの断面図である。
【図３】図２の血圧計用カフの収納時の形態を示した断面図である。
【図４】図２のＡ−Ａ矢視での拡大断面図である。
【図５】図２の血圧計用カフの平面図である。
【図６】図２の血圧計用カフの内径を締め付け調整スイッチによって調整する様子を示した断面図である。
【図７】同上の血圧計用カフのスライド調整機構を説明する拡大断面図である。
【図８】同上の血圧計用カフを測定者の上腕部の測定部位に対して抜き差しする様子を説明する斜視図である。
【図９】本発明の血圧計用カフの第２の実施例を説明する断面図である。
【図１０】図９の血圧計用カフの収納時の形態を示した断面図である。
【図１１】図９の血圧計用カフの平面図である。
【図１２】図９の血圧計用カフの内径を締め付け調整スイッチによって調整する様子を示した断面図である。
【図１３】本発明の血圧計用カフの第３の実施例を説明する断面図である。
【図１４】図１３の血圧計用カフの収納時の形態を示した断面図である。
【図１５】図１３の血圧計用カフの平面図である。
【図１６】図１３の血圧計用カフの内径を締め付け調整スイッチによって調整する様子を示した断面図である。
【図１７】図１３の血圧計用カフの回転調整機構を拡大及び展開して示した断面図である。
【符号の説明】
１    血圧計用カフ
２    内布
３    外布
４    阻血用空気袋
５    圧力検出用空気袋
６    湾曲板
８    ハンドル
８ａ  ハンドルの装着ベース部
８ｂ  ハンドルのアーム部
８ｃ  ハンドルのグリップ部（締め付け調整手段を兼用）
１１  チューブ挿通穴
１２  給排気用チューブ
１３  圧力検出用チューブ
１５  締め付け調整スイッチ
１６  面ファスナー（ファスナーの一例）
１７  外布締め付け部材
１９  グリップ可動部（締め付け調整手段）
２８  スライド調整機構
３７  回転調整機構
【図１】
2004201741.tif 000003
【図２】
2004201741.tif 000004
【図３】
2004201741.tif 000005
【図４】
2004201741.tif 000006
【図５】
2004201741.tif 000007
【図６】
2004201741.tif 000008
【図７】
2004201741.tif 000009
【図８】
2004201741.tif 000010
【図９】
2004201741.tif 000011
【図１０】
2004201741.tif 000012
【図１１】
2004201741.tif 000013
【図１２】
2004201741.tif 000014
【図１３】
2004201741.tif 000015
【図１４】
2004201741.tif 000016
【図１５】
2004201741.tif 000017
【図１６】
2004201741.tif 000018
【図１７】
2004201741.tif 000019